(57)【特許請求の範囲】
【請求項１】
直列に接続された発光スペクトルが各々異なる複数の発光素子と、
前記複数の発光素子にそれぞれ対応して設けられ、各々が対応する発光素子を駆動するための複数の駆動装置とを備え、
各前記駆動装置は、
対応する発光素子に対して設けられた第１の容量素子と、
周期的なパルス制御信号に基づき、前記第１の容量素子の入力ノードに印加された電源電圧に従って前記第１の容量素子にチャージし、チャージされた前記第１の容量素子と前記対応する発光素子とを電気的に接続して前記対応する発光素子に電流を供給するためのスイッチ素子群と、
前記パルス制御信号の周期を調整して出力するためのパルス信号制御回路とを含み、
前記パルス信号制御回路は、連続的に活性化される第１〜第３のパルス制御信号を生成し、
各前記駆動装置は、前記第１の容量素子と並列に設けられる第２の容量素子をさらに含み、
前記スイッチ素子群は、
前記第１のパルス制御信号に基づき、前記第２の容量素子の入力ノードに印加された電源電圧に従って前記第２の容量素子にチャージする第１のスイッチ素子と、
前記第２のパルス制御信号に基づき、前記第２の容量素子の入力ノードに印加された電源電圧および前記第２の容量素子に前記チャージされた電源電圧を前記第１の容量素子の入力ノードに印加し、前記第１の容量素子にチャージする第２のスイッチ素子と、
前記第３のパルス制御信号に従って、チャージされた前記第１の容量素子と前記対応する発光素子とを電気的に接続する第３のスイッチ素子とを有する、照明装置。
【請求項２】
各前記駆動装置は、前記発光素子に流れる電流を計測する計測回路をさらに含み、
前記パルス信号制御回路は、前記計測回路の計測結果に基づいて前記第１〜第３のパルス制御信号の周波数を調整する、請求項１記載の照明装置。
【請求項３】
前記パルス制御信号回路は、前記第１〜第３のパルス制御信号のデューティ比を調整する、請求項１記載の照明装置。
【請求項４】
前記駆動装置は、前記発光素子に出力する際に電圧を安定化するための安定化容量素子をさらに含む、請求項１〜３のいずれか一項に記載の照明装置。
【請求項５】
前記複数の発光素子は、赤色、緑色、青色発光素子を含む、請求項１〜４のいずれか一項に記載の照明装置。
【請求項６】
前記複数の発光素子の各々は有機ＥＬであり、前記複数の発光素子が積層されており、前記発光素子の各々が電極で挟持されている、請求項１〜５のいずれか一項に記載の照明装置。
【発明の詳細な説明】
【技術分野】
【０００１】
本発明は、定電流源に直列接続された複数の発光素子を備える照明装置に関する。
【背景技術】
【０００２】
特表２０１０−５２４２２１号公報（特許文献１）は、発光ダイオードの駆動方法に関する発明を開示している。この駆動方法は、直列接続の発光ダイオードの輝度を個々に調整可能な構成が示されている。【０００３】
具体的には、主電流を供給して、当該主電流に対して発光ダイオード間の中間電極から引かれる電流を制御することにより、直列接続された各発光ダイオードに流れる電流量を調整する駆動方式が開示されている。
【先行技術文献】
【特許文献】
【０００４】
【特許文献１】特表２０１０−５２４２２１号公報
【発明の概要】
【発明が解決しようとする課題】
【０００５】
しかしながら、当該特表２０１０−５２４２２１号公報（特許文献１）に開示される駆動方式では、主電流に対して中間電極から引かれる電流を常に演算して制御する必要がある。特に３つの発光ダイオードを直列接続する場合、最終段の発光ダイオードに流す電流は、前段の発光ダイオードに流れる電流に律則されるため演算調整が必要であり、回路構成が複雑になるという問題がある。【０００６】
本発明は、複数の発光素子が直列に接続された構成において、簡易に各発光素子に流れる電流量を個々に調整することが可能な照明装置を提供することを目的とする。
【課題を解決するための手段】
【０００７】
本発明のある局面に従う照明装置は、直列に接続された発光スペクトルが各々異なる複数の発光素子と、複数の発光素子にそれぞれ対応して設けられ、各々が対応する発光素子を駆動するための複数の駆動装置とを備える。各駆動装置は、対応する発光素子に対して設けられた第１の容量素子と、周期的なパルス制御信号に基づき、第１の容量素子の入力ノードに印加された電源電圧に従って第１の容量素子にチャージし、チャージされた第１の容量素子と対応する発光素子とを電気的に接続して対応する発光素子に電流を供給するためのスイッチ素子群と、パルス制御信号の周期を調整して出力するパルス信号制御回路とを含む。
【発明の効果】
【０００８】
複数の発光素子が直列に接続された構成において、簡易に各発光素子に流れる電流量を個々に調整することが可能である。
【図面の簡単な説明】
【０００９】
【図１】本実施の形態に従う照明装置１の構成を説明する概略ブロック図である。
【図２】本実施の形態に従う照明部４の発光素子群１５の概略構成図である。
【図３】本実施の形態に従う照明装置１の具体的構成について説明する図である。
【図４】本実施の形態に従う駆動部１０Ａの具体的構成について説明する図である。
【図５】チャージポンプ回路２０Ａを駆動するためのパルス制御信号φ１〜φ３，／φ３について説明するタイミングチャート図である。
【図６】パルス制御信号に従ってＯＮ／ＯＦＦするスイッチＳ１〜Ｓ６の状態を説明する図である。
【図７】本実施の形態の変形例に従う照明装置の構成について説明する図である。
【図８】本変形例におけるチャージポンプ回路２０＃を駆動するためのパルス制御信号φ１〜φ３，／φ３について説明するタイミングチャート図である。
【図９】パルス制御信号に従ってＯＮ／ＯＦＦするスイッチＳ１〜Ｓ７の状態を説明する図である。
【発明を実施するための形態】
【００１０】
本実施の形態について、以下、図面を参照しながら説明する。実施の形態の説明において、個数および量などに言及する場合、特に記載がある場合を除き、本発明の範囲は必ずしもその個数およびその量などに限定されない。実施の形態の説明において、同一の部品および相当部品に対しては、同一の参照番号を付し、重複する説明は繰り返さない場合がある。特に制限が無い限り、実施の形態に示す構成に示す構成を適宜組み合わせて用いることは、当初から予定されていることである。
【００１１】
（全体構成）
図１は、本実施の形態に従う照明装置１の構成を説明する概略ブロック図である。
【００１２】
図１を参照して、照明装置１は、照明パネル２と、発光素子を含む照明部４と、照明装置１全体を制御するコントローラ６とを含む。
【００１３】
照明パネル２は、照明部４の発光素子から発光された光を均一にした光として照射する。なお、レンズ等を設けて指向性を持たせることにより特定のスポット領域を照射するようにしても良い。
【００１４】
照明部４は、発光スペクトラムが各々異なる複数の発光素子を含む。本例においては、一例として３種類の発光素子が設けられる場合について説明する。具体的には、赤（Ｒｅｄ）、緑（Ｇｒｅｅｎ）、青（Ｂｌｕｅ）色の発光スペクトラムを有する発光素子を有する。なお、本例においては、３種類の発光素子について説明するが、特にこれに限られず、複数（２以上）が直列に接続される構成であれば、どのような構成を採用しても良く、さらに発光素子を設ける構成とすることが可能である。
【００１５】
なお、これらを構成する発光素子としては、有機ＥＬ（ＯＬＥＤ：Organic  Light  Emitting  Diode、若しくはOrganic  Electroluminescenceともいう）等が挙げられる。あるいは、発光ダイオード（ＬＥＤ：Light  Emitting  Diode）等であってもよい。照明装置１は、これらに加えて他の発光素子をさらに備えていてもよい。
【００１６】
コントローラ６は、照明部４に対して発光制御を指示する。具体的には、外部からの指示（輝度調整の指示）に従って照明部４の輝度を調整するための制御信号を照明部４に出力する。
【００１７】
図２は、本実施の形態に従う照明部４の発光素子群１５の概略構成図である。
図２を参照して、本例においては、一例として発光素子として有機ＥＬを用いた場合が示されている。具体的には、赤色発光素子（赤色発光層）１０、緑色発光素子（緑色発光層）１２および青色発光素子（青色発光層）１４が積層されており、各色発光素子の発光層が電極１５Ａ，１５Ｂ，１５Ｃ，１５Ｄでそれぞれ挟持されている。
【００１８】
各電極１５Ａ，１５Ｂ，１５Ｃ，１５Ｄに駆動部群１７を介して外部電源から給電することにより、各色発光層が発光する。このとき、各電極１５Ａ，１５Ｂ，１５Ｃ，１５Ｄに供給される電流を駆動部群１７がコントローラ６からの制御に従って駆動することにより、各色発光素子の輝度バランスを調光し、照明装置１から発光される光の調光および調色を制御することができる。
【００１９】
（具体的構成）
図３は、本実施の形態に従う照明部４の具体的構成について説明する図である。
【００２０】
図３を参照して、照明部４は、発光素子群１５と駆動部群１７とを含む。発光素子群１５は、上述したように直列に接続された複数の発光素子を含む。駆動部群１７は、複数の駆動部１０Ａ〜１０Ｃで構成される。
【００２１】
本例においては、発光スペクトラムがそれぞれ異なる直列に接続された有機ＥＬ８Ａ〜８Ｃについて説明する。当該有機ＥＬは、単体の素子でもよいし、複数の素子が接続されたストリングスの構成であっても良い。
【００２２】
当該構成においては、各有機ＥＬに対して駆動部を設ける。各有機ＥＬ８Ａ〜８Ｃのアノード側およびカソード側と接続されるように駆動部を設ける。
【００２３】
具体的には、有機ＥＬ８Ａ〜８Ｃにそれぞれ対応して、駆動部１０Ａ〜１０Ｃを設ける。
【００２４】
各駆動部の構成については、同様の構成であるため本例においては、そのうちの１つである駆動部１０Ａを例に挙げて説明する。
【００２５】
図４は、本実施の形態に従う駆動部１０Ａの具体的構成について説明する図である。
図４を参照して、ここでは、有機ＥＬ８Ａに対応して駆動部１０Ａが設けられた構成が示されている。有機ＥＬ８Ａは、駆動部１０Ａと接続され、駆動部１０Ａは、コントローラ６からの指示により有機ＥＬ８Ａを発光制御する。
【００２６】
駆動部１０Ａは、チャージポンプ回路２０Ａと、増幅器１２Ａと、抵抗素子１４Ａと、比較器１６Ａと、発振器１８Ａとを含む。
【００２７】
有機ＥＬ８Ａは、駆動部１０Ａの出力ノードである正極ノードＮ５と、負極ノードＮ６との間に設けられる。
【００２８】
チャージポンプ回路２０Ａは、スイッチＳ１〜Ｓ６と、コンデンサＣ１、Ｃ２とを含む。スイッチＳ１〜Ｓ６は、スイッチ素子群を形成する。
【００２９】
電源電圧ＶＤＤは、ノードＮ０と接続される。
スイッチＳ１は、ノードＮ０とノードＮ２との間に接続され、パルス制御信号φ１に従って動作する。具体的には、パルス制御信号φ１がＨレベルに従ってＯＮ（導通）となる。一方、パルス制御信号φ１がＬレベルに従ってＯＦＦ（非導通）となる。他のスイッチについてもＨレベルに従ってＯＮ、Ｌレベルに従ってＯＦＦする。なお、本例においては、Ｈレベルに従ってＯＮし、Ｌレベルに従ってＯＦＦするスイッチについて説明するが特にこれに限られず、論理が反転した場合にＯＮ、ＯＦＦするスイッチとすることも可能である。スイッチとしては、一例としてＮＭＯＳトランジスタ等を用いることが可能であるが、機械的あるいは電磁的にＯＮ／ＯＦＦさせるスイッチとしても良く、当該構成については限定されない。
【００３０】
コンデンサＣ１は、ノードＮ２とノードＮ１との間に接続される。スイッチＳ２は、ノードＮ０とノードＮ１との間にスイッチＳ１と並列に接続される。そして、スイッチＳ２は、パルス制御信号φ２に従って動作する。スイッチＳ３は、ノードＮ２とノードＮ３との間に接続され、パルス制御信号φ２に従って動作する。スイッチＳ４は、ノードＮ１とノードＮ４との間に接続され、パルス制御信号φ１に従って動作する。
【００３１】
コンデンサＣ２は、コンデンサＣ１と並列に設けられ、ノードＮ３とノードＮ４との間に接続される。スイッチＳ５は、ノードＮ４とノードＮ６との間に接続され、パルス制御信号φ３に従って動作する。スイッチＳ６は、ノードＮ４と接地電圧ＧＮＤとの間に接続され、パルス制御信号／φ３に従って動作する。なお、「／」の記号は、一例として、反転信号を意味するものとする。具体的には、パルス制御信号φ３がＨレベルの場合には、パルス制御信号／φ３はＬレベルとなる。
【００３２】
チャージポンプ回路２０Ａの動作については後述する。
抵抗素子１４Ａは、ノードＮ３とノードＮ５との間に接続される。増幅器１２Ａは、抵抗素子１４Ａ間に接続され、抵抗素子１４Ａと通過する電流値に基づく抵抗素子１４Ａの両端電圧（電位差）を計測して、それを増幅して比較器１６Ａに出力する。なお、電流値を電圧値に変更して計測する方式について説明しているが、一例であり、電流値を直接計測するようにしてもよく、当該方式については特に限定されない。
【００３３】
比較器１６Ａは、増幅器１２Ａから出力された電圧と、通過する電流量を規定するための基準電圧Ｖ１とを比較して比較結果に基づく制御電圧を発振器１８Ａに出力する。基準電圧Ｖ１はコントローラ６から出力されるものとする。なお、本例においては、一例として、基準電圧Ｖ１をコントローラ６から出力する構成について説明するが、特に、当該構成に限定する必要は無く、例えば、コントローラ６が図示しない基準電圧生成回路に指示して当該基準電圧生成回路から基準電圧Ｖ１を出力するようにすることも可能である。
【００３４】
発振器１８Ａは、制御電圧に従ってパルス制御信号φ１〜φ３，／φ３を生成して出力する。パルス制御信号φ１〜φ３は、１周期の期間において連続的に独立して活性化（Ｈレベル）される。なお、パルス制御信号／φ３はパルス制御信号φ３を例えばインバータを介して反転させたものであり、独立して生成する必要は無い。
【００３５】
（駆動方式の説明）
本実施の形態においては、昇圧回路であるである上述したチャージポンプ回路２０Ａにより電源電圧ＶＤＤを昇圧して、昇圧した昇圧電圧を有機ＥＬ８Ａに対して出力する。
【００３６】
図５は、チャージポンプ回路２０Ａを駆動するためのパルス制御信号φ１〜φ３，／φ３について説明するタイミングチャート図である。
【００３７】
図６は、パルス制御信号に従ってＯＮ／ＯＦＦするスイッチＳ１〜Ｓ６の状態を説明する図である。
【００３８】
図５および図６を参照して、時刻ｔ１において、パルス制御信号φ１は、Ｈレベルに設定される。パルス制御信号φ２，φ３はＬレベルに設定される。これに伴い、スイッチＳ１，Ｓ４，Ｓ６はＯＮ、スイッチＳ２，Ｓ３，Ｓ５はＯＦＦに設定される。
【００３９】
これにより、コンデンサＣ１のノードＮ２は、電源電圧ＶＤＤと接続され、コンデンサＣ１は充電される。すなわち、ノードＮ２の電位は電源電圧ＶＤＤレベルに設定される。
【００４０】
次に、時刻ｔ２において、パルス制御信号φ２は、Ｈレベルに設定される。パルス制御信号φ１，φ３はＬレベルに設定される。これに伴い、スイッチＳ２，Ｓ３，Ｓ６はＯＮ、スイッチＳ１，Ｓ４，Ｓ５はＯＦＦに設定される。
【００４１】
これにより、コンデンサＣ１のノードＮ１は、電源電圧ＶＤＤと接続される。これによりコンデンサＣ１のノードＮ２の電位は電源電圧２ＶＤＤレベルに設定され、コンデンサＣ２に充電される。
【００４２】
したがって、コンデンサＣ１に蓄積された電荷をコンデンサＣ２に転送（ポンプ動作）してコンデンサＣ２には電源電圧２ＶＤＤレベルに昇圧された昇圧電圧分の電荷が蓄積される。
【００４３】
次に、時刻ｔ３において、パルス制御信号φ３は、Ｈレベルに設定される。パルス制御信号φ１，φ２はＬレベルに設定される。これに伴い、スイッチＳ５はＯＮ、スイッチＳ１，Ｓ２，Ｓ３，Ｓ４，Ｓ６はＯＦＦに設定される。
【００４４】
これによりコンデンサＣ２は、負荷である有機ＥＬ８Ａと接続される。これにより昇圧された昇圧電圧が有機ＥＬ８Ａに出力され、負荷である有機ＥＬ８Ａに電流が流れる。
【００４５】
なお、図５を参照して、再び、時刻ｔ１と同様にパルス制御信号φ１がＨレベルに設定される。以降、パルス制御信号φ２がＨレベルに設定され、次に、パルス制御信号φ３がＨレベルに設定される。当該パルス制御信号φ１〜φ３が周期的に活性化されてポンプ動作等を繰り返す。当該動作により昇圧電圧が有機ＥＬ８Ａに対して出力され、当該昇圧電圧に従う電流が有機ＥＬ８Ａに流れる。このとき、スイッチＳ５のみがＯＮであるため有機ＥＬ８Ａはフローティング状態で電流が供給される。
【００４６】
本実施例においては、当該電流量を計測して、所望の電流が有機ＥＬ８Ａに供給されるようにパルス制御信号を調整する。
【００４７】
例えば、パルス制御信号の周波数を高くすることによりポンプ動作の周期が短くなり電流量が増加する。一方、パルス制御信号の周波数を低くすればポンプ動作の周期が長くなり電流量が減少する。
【００４８】
したがって、有機ＥＬ８Ａに流れる電流、すなわち抵抗素子１４Ａに流れる通過電流を計測して当該電流値に基づく増幅された両端電圧と、基準電圧Ｖ１とを比較器１６Ａで比較することにより所望の電流値か否かを判断する。具体的には、増幅した両端電圧が基準電圧Ｖ１よりも低ければ通過電流の電流値が所望の電流値よりも低いと判断する。一方、増幅した両端電圧が基準電圧Ｖ１よりも高ければ通過電流の電流値が所望の電流値よりも高いと判断する。
【００４９】
発振器１８Ａは、比較器１６Ａからの制御電圧の電圧レベルに従って出力する発振周波数を調整するＶ／ｆ変換回路である。比較器１６Ａは、通過電流が所望の電流値よりも低い場合には、制御電圧の電圧レベルを上げて発振周波数を高くする。一方、通過電流が所望の電流値よりも大きい場合には、制御電圧の電圧レベルを下げて発振周波数を低くする。
【００５０】
すなわち、発振器１８Ａは、増幅器１２Ａからの増幅された電圧が有機ＥＬ８Ａを通過する電流量を規定する基準電圧と同じとなるように発振周波数を調整する。これにより有機ＥＬ８Ａに所望の電流を供給することが可能であり、簡易な構成で制御することが可能である。
【００５１】
なお、発振器１８Ａに関してＶ／ｆ変換回路の構成を一例として説明したが、特にＶ／ｆ変換回路に限られず、周期的なパルス制御信号を生成して当該パルス制御信号の周波数を調整可能な回路であればどのようなものでもよい。
【００５２】
上記においては、駆動部１０Ａについて説明したが、他の駆動部１０Ｂ，１０Ｃについても同様である。
【００５３】
再び、図３を参照して、コントローラ６は、各駆動部に対して、それぞれの有機ＥＬを通過する電流量を規定するための基準電圧を出力する。本例においては、コントローラ６は、駆動部１０Ａに対して有機ＥＬ８Ａに流れる電流量を規定するために基準電圧Ｖ１を出力する。また、コントローラ６は、駆動部１０Ｂに対して有機ＥＬ８Ｂに流れる電流量を規定するために基準電圧Ｖ２を出力する。また、コントローラ６は、駆動部１０Ｃに対して有機ＥＬ８Ｃに流れる電流量を規定するために基準電圧Ｖ３を出力する。
【００５４】
当該構成においては、各駆動部毎に、当該電流量を計測して、所望の電流が有機ＥＬ８Ａ〜８Ｃに対して供給されるようにパルス制御信号を調整する。
【００５５】
コントローラ６がそれぞれの駆動部に対して基準電圧Ｖ１〜Ｖ３をそれぞれ設定することにより独立してそれぞれの有機ＥＬ８Ａ〜８Ｃに流れる電流を調整することが可能であり、従来構成の如く中間電極から引かれる電流を演算して個々の有機ＥＬに流れる電流を制御する必要はなく、簡易な構成で制御することが可能である。
【００５６】
すなわち、各有機ＥＬ８Ａ〜８Ｃに並列に接続されたチャージポンプ回路２０Ａ〜２０Ｃを用いて電流を供給するため、電流供給時、各有機ＥＬ８Ａ〜８Ｃは、電源に対してフローティング状態となり、各有機ＥＬ８Ａ〜８Ｃのアノード又はカソードが特定電位にクリップされても独立した電流制御が可能である。
【００５７】
なお、本実施の形態においては、昇圧回路であるチャージポンプ回路２０Ａを用いて電源電圧を昇圧して、昇圧した昇圧電圧を有機ＥＬ８Ａに対して出力する構成について説明したが、特に、昇圧電圧を出力する構成に限定する必要はなく、例えば、昇圧することなく電源電圧をコンデンサＣ２に蓄積して、当該蓄積された電荷を負荷である有機ＥＬ８Ａに供給する構成としても良い。その場合、スイッチＳ１，Ｓ２，Ｓ４およびコンデンサＣ１を削除するととともに、ノードＮ２に電源電圧ＶＤＤを接続する。そして、まず、スイッチＳ３，Ｓ６をＯＮしてコンデンサＣ２に電荷を蓄積（チャージ）する。次に、スイッチＳ５をＯＮして、コンデンサＣ２と有機ＥＬ８Ａとを電気的に接続する。これによりコンデンサＣ２に蓄積された電荷に従って負荷である有機ＥＬ８Ａにフローティング状態で電流を供給するようにしても良い。なお、他のチャージポンプ回路についても同様である。
【００５８】
［実施の形態の変形例］
本変形例においては、有機ＥＬに流れる電流を安定化させる方式について説明する。
【００５９】
駆動部から負荷である有機ＥＬに昇圧電圧を印加して電流を供給する場合、電流量が大きくなれば脈流（ノイズ）が発生する可能性がある。当該脈流（ノイズ）により有機ＥＬの発光の際にちらつきが生じる可能性がある。
【００６０】
本変形例においては、当該脈流（ノイズ）を抑制する方式について説明する。
図７は、本実施の形態の変形例に従う照明装置の構成について説明する図である。
【００６１】
図７を参照して、本例においては、図４で説明した駆動部１０Ａの代わりに駆動部１０＃を設けた点が異なる。駆動部１０＃は、駆動部１０Ａと比較してチャージポンプ回路２０Ａをチャージポンプ回路２０＃に置換した点が異なる。
【００６２】
具体的には、チャージポンプ回路２０＃は、チャージポンプ回路２０Ａと比較して、スイッチＳ７およびコンデンサＣ３をさらに設けた点が異なる。
【００６３】
スイッチＳ７は、ノードＮ３とノードＮ７との間に接続され、パルス制御信号φ３に従って動作する。コンデンサＣ３は、コンデンサＣ２と並列に設けられ、ノードＮ７とノードＮ６との間に設けられる。
【００６４】
スイッチＳ７は、スイッチＳ５と同様に動作し、電荷が蓄積されたコンデンサＣ２と負荷側の有機ＥＬ８Ａとの電気的な接続を制御する。
【００６５】
（駆動方式の説明）
本実施の形態の変形例においても昇圧回路であるである上述したチャージポンプ回路２０＃により電源電圧ＶＤＤを昇圧して、昇圧した昇圧電圧を有機ＥＬ８Ａに対して出力する。
【００６６】
図８は、本変形例におけるチャージポンプ回路２０＃を駆動するためのパルス制御信号φ１〜φ３，／φ３について説明するタイミングチャート図である。
【００６７】
図９は、パルス制御信号に従ってＯＮ／ＯＦＦするスイッチＳ１〜Ｓ７の状態を説明する図である。
【００６８】
図８を参照して、パルス制御信号φ１〜φ３，／φ３および活性化するタイミングについては図４で説明したのと同様である。
【００６９】
また、図９を参照して、パルス制御信号φ１〜φ３，／φ３に従って動作するスイッチＳ１〜Ｓ６については図５で説明したのと同様である。スイッチＳ７は、上述したようにスイッチＳ５と同様に動作し、時刻ｔ１，ｔ２において、パルス制御信号φ３は、ＬレベルであるためＯＦＦに設定される。時刻ｔ３において、パルス制御信号φ３は、Ｈレベルに設定され、スイッチＳ７はＯＮとなる。
【００７０】
上記したように、時刻ｔ３において、コンデンサＣ２は、負荷である有機ＥＬ８Ａと接続される。これにより昇圧された昇圧電圧が有機ＥＬ８Ａに出力され、負荷である有機ＥＬ８Ａに電流が流れる。このとき、スイッチＳ５およびＳ７のみがＯＮしであるため有機ＥＬ８Ａはフローティング状態で電流が供給される。
【００７１】
有機ＥＬ８Ａへの電流量の調整等については上記で説明したのと同様である。
本変形例においては、スイッチＳ７がＯＮし、コンデンサＣ２が有機ＥＬ８Ａおよび並列に接続されたコンデンサＣ３と接続されることになる。
【００７２】
コンデンサＣ３は、有機ＥＬ８Ａの正極側のノードの電圧を安定化させる安定化容量として機能する。したがって、有機ＥＬ８Ａの正極側のノードの電圧が変動することにより生じる脈流を抑制することが可能である。したがって、脈流（ノイズ）により有機ＥＬ８Ａの輝度が変動する（ちらつく）ことを抑制して安定した光を発光することが可能である。
【００７３】
なお、本実施の形態においては、発振器１８において、主にパルス制御信号の発振周波数を調整する方式について説明したが、発振周波数ではなく、パルス制御信号のデューティ比を調整するようにしても良い。すなわち、デューティ比を調整してコンデンサに電荷を蓄電する充電時間を調整して有機ＥＬを通過する電流量を調整するようにすることも可能である。
【００７４】
以上、本発明に基づいた実施の形態について説明したが、今回開示された実施の形態はすべての点で例示であって制限的なものではない。本発明の技術的範囲は請求の範囲によって示され、請求の範囲と均等の意味および範囲内でのすべての変更が含まれることが意図される。
【符号の説明】
【００７５】
１  照明装置、２  照明パネル、４  照明部、６  コントローラ、８，８Ａ〜８Ｃ  有機ＥＬ、１０＃，１０Ａ〜１０Ｃ  駆動部、１２  増幅器、１４  抵抗素子、１６  比較器、１７  駆動部群、１８  発振器。
【要約】
照明装置は、直列に接続された発光スペクトルが各々異なる複数の発光素子と、複数の発光素子にそれぞれ対応して設けられ、各々が対応する発光素子を駆動するための複数の駆動装置とを備える。各駆動装置は、対応する発光素子に対して設けられた第１の容量素子と、周期的なパルス制御信号に基づき、第１の容量素子の入力ノードに印加された電源電圧に従って第１の容量素子にチャージし、チャージされた第１の容量素子と対応する発光素子とを電気的に接続して対応する発光素子に電流を供給するためのスイッチ素子群と、パルス制御信号の周期を調整して出力するパルス信号制御回路とを含む。【図１】
0005637341.tif 000002
【図２】
0005637341.tif 000003
【図３】
0005637341.tif 000004
【図４】
0005637341.tif 000005
【図５】
0005637341.tif 000006
【図６】
0005637341.tif 000007
【図７】
0005637341.tif 000008
【図８】
0005637341.tif 000009
【図９】
0005637341.tif 000010